(57)【要約】  本発明は、光源及び収容キャビティを備えた容器であって、制御コンポーネントと、収容キャビティにおける把持し易い位置に設けられたタッチ制御パネルとを含み、制御コンポーネントが光源及びタッチ制御パネルと電気的に接続され、タッチ制御パネルによって感知した外部のタッチ信号に応じて光源を発光させるように制御する容器を提供する。容器は、タッチ制御パネルを感知スイッチとして使用することにより、ユーザが指で容器の側面に触れると、制御コンポーネントが光源を点灯して発光させる一方、ユーザの指が容器から離れると、制御コンポーネントが光源を消灯させるように制御する。これにより、ユーザが容器を持ち上げたり置いたりすると同時に容器の点灯・消灯を実現可能とするため、容器のユーザ体験を向上できる。また、ユーザが指のスライド動作によって容器の輝度及び色の変化を調節可能とするため、ユーザ体験をさらに向上できる。【選択図】図１
2018535155.tif 000002
【特許請求の範囲】
【請求項１】
光源及び収容キャビティを備えた容器であって、
制御コンポーネントと、前記収容キャビティにおける把持し易い位置に設けられたタッチ制御パネルとをさらに含み、
前記制御コンポーネントは、前記光源及び前記タッチ制御パネルに電気的に接続され、前記制御コンポーネントは、前記タッチ制御パネルによって感知した外部のタッチ信号に応じて前記光源を発光させるように制御することを特徴とする、容器。
【請求項２】
前記収容キャビティは、透光性カップ体を含み、
前記光源から発した光線は、前記透光性カップ体を通過して外部に出射することを特徴とする、請求項１に記載の容器。
【請求項３】
前記タッチ制御パネルは、前記透光性カップ体の外側面を取り囲んで貼設された透明なフレキシブルタッチ制御パネルを含むことを特徴とする、請求項２に記載の容器。
【請求項４】
前記透光性カップ体は、第１の収容室と、開口方向が前記第１の収容室の開口方向と反対方向である第２の収容室とを含み、
前記光源から発した光線は、第２の収容室を経由して前記第１の収容室に入ることを特徴とする、請求項２に記載の容器。
【請求項５】
前記第１の収容室は、前記第２の収容室から隔離され、
前記光源及び前記制御コンポーネントは、前記第２の収容室に設けられていることを特徴とする、請求項４に記載の容器。
【請求項６】
前記カップは、インナーカバーをさらに含み、
前記インナーカバーは、少なくとも一部が前記第２の収容室に収容され、前記透光性カップ体の底部に当接していることを特徴とする、請求項４に記載の容器。
【請求項７】
前記第２の収容室の内側壁面には、階段部が設けられ、
前記インナーカバーには、前記階段部に向かって固定部が設けられ、前記固定部が前記階段部に固定されることを特徴とする、請求項６に記載の容器。
【請求項８】
前記第２の収容室に収容された回路基板をさらに含み、
前記光源及び前記制御コンポーネントは、いずれも前記回路基板に固定されていることを特徴とする、請求項４に記載の容器。
【請求項９】
電池と、前記電池に電気的に接続されたコネクタとをさらに含み、
前記コネクタは回路基板の一方の側に設けられ、前記光源は回路基板の他方の側に設けられていることを特徴とする、請求項８項に記載の容器。
【請求項１０】
アウターカバーをさらに含み、
前記アウターカバーは、前記インナーカバーの底部に当接するアウターカバープレートと、前記アウターカバープレートの周縁から延びるアウターカバーエッジとを備え、
前記アウターカバーエッジは、前記インナーカバー及び前記透光性カップ体の外周に外嵌されることを特徴とする、請求項６に記載の容器。
【請求項１１】
前記アウターカバーエッジの外側壁面は、前記タッチ制御パネルの外側壁面と面一になっており、
前記アウターカバーエッジの頂部は、前記タッチ制御パネルの底部に当接していることを特徴とする、請求項１０に記載の容器。
【請求項１２】
前記アウターカバー及び前記インナーカバーを通るように設けられたボタンをさらに含み、
前記ボタンは、前記制御コンポーネントに電気的に接続されていることを特徴とする、請求項１０に記載の容器。
【請求項１３】
ボトムカバーをさらに含み、
前記ボトムカバーは、前記アウターカバーの底部に貼り付けられ、前記ボタンに当接してかつ前記ボタンに対応する位置に可撓領域が設けられることを特徴とする、請求項１２に記載の容器。
【請求項１４】
前記ボトムカバーは、スロットが設けられ、かつ前記スロットに対応する位置においてバリアが形成され、前記バリアが前記スロットの縁部に回転可能に接続されることを特徴とする、請求項１３に記載の容器。
【発明の詳細な説明】
【技術分野】
【０００１】
本発明は、電子デバイス分野に関し、特に容器に関する。
【背景技術】
【０００２】
カップは、日常生活の必需品として、使用者の便宜を図るためにますます多くの機能が徐々に組み込まれている。例えば、カップの美感を向上させるために、カップの内部に統合された光源の照射によりカップを発光させる。
【０００３】
従来の発光カップは、カップの底部に設けられたスイッチにより光源のオン・オフを制御することが多い。ユーザがカップを点灯しようとするときに、まず、カップを反転させた後、スイッチを押して光源をオンすることによりカップを発光させる。しかしながら、このような発光カップは、点灯方式が煩雑であり、且つスイッチがカップの底部に設けられるので、ユーザがカップを反転させた後にスイッチの位置を探す必要があり、周囲の光が弱い場合、スイッチの確認が困難になる。上記のように、従来の発光カップは、ユーザ体験が良くない。
【発明の概要】
【０００４】
本発明の目的は、ユーザ体験が向上する容器を提供することにある。
【０００５】
上記した技術的課題を解決するために、本発明は、光源及び収容キャビティを備えた容器であって、制御コンポーネントと、収容キャビティにおける把持し易い位置に設けられたタッチ制御パネルとを含み、制御コンポーネントが光源及びタッチ制御パネルに電気的に接続され、タッチ制御パネルによって感知した外部のタッチ信号に応じて光源を発光させるように制御する容器を提供する。
【０００６】
本発明の容器は、タッチ制御パネルを感知スイッチとして使用することにより、ユーザが指で容器におけるタッチ制御パネルに触れると、制御コンポーネントが光源を点灯して発光させる一方、ユーザの指が容器から離れると、制御コンポーネントが光源を消灯させるように制御する。これにより、ユーザの別途オン・オフ動作が必要なく、容器を持ち上げたり置いたりすると同時に容器の点灯・消灯を実現可能とするため、容器のユーザ体験を向上させることができる。
【０００７】
以下、本発明の技術的構成をより明確に説明するために、実施形態の説明に必要な図面について簡単に述べる。下記の説明に係る図面は、本発明のいくつかの実施形態に過ぎず、当業者にとって、創造的な努力なしにこれらの図面により他の図面を得ることは明らかである。
【図面の簡単な説明】
【０００８】
【図１】図１は、本発明の一実施形態に係るカップの分解概略図である。
【図２】図２は、光源コンポーネントが取り除かれた図１におけるカップの別の分解概略図である。
【図３】図３は、組み立てられた図１におけるカップの断面概略図である。
【発明を実施するための形態】
【０００９】
以下、本発明の実施形態に係る図面を参照しながら、本発明の実施形態に係る技術的構成を明確かつ完全に説明する。
【００１０】
図１を参照すると、本発明の一実施形態は、収容キャビティを備えた容器を提供する。本実施形態において、容器はカップ１００である。本実施形態において、収容キャビティは、頂部１１、頂部１１に対向する底部１２、及び頂部１１と底部１２の間に位置する中間部を含む透光性カップ体（light transmitting cup body）１０である。頂部１１には、第１の収容室１１１が設けられている。第１の収容室１１１は、開口方向が底部１２に向かう方向と逆方向になるように配置されている。第１の収容室１１１は、物体を収容するために用いられる。カップ１００は、底部１２に固定された光源コンポーネント２０をさらに含む。光源コンポーネント２０は、透光性カップ体１０を照明するように発光可能である。カップ１００は、透光性カップ体１０の外周側に固定されたタッチ制御パネル３０と、底部１２に固定された制御コンポーネント(図示せず)とをさらに含む。制御コンポーネント２０は、タッチ制御パネル３０及び光源コンポーネント２０に電気的に接続され、タッチ制御パネル３０のタッチ制御信号を受信し、かつタッチ制御信号に応じて光源コンポーネント２０の発光並びに発光強度及び照明色を制御するように構成されている。
【００１１】
透光性カップ体１０は、光源コンポーネント２０の発光によって照明され得る。タッチ制御パネル３０は、ユーザによってタッチされた場合、制御コンポーネント２０にタッチ制御情報を送信することにより、光源コンポーネント２０の点灯・消灯、及び光源コンポーネント２０の発光強度を制御できるので、カップ１０のユーザ体験を向上させる。
【００１２】
本実施形態において、透光性カップ体１０は、円筒状を呈し、透明なアクリル材から一体に形成されている。第１の収容室１１１は、頂部１１の端面に開口が設けられている。他の実施形態において、透光性カップ体１０は、四角筒状であってもよく、他の透光性材料から形成されてもよい。
【００１３】
図３を参照すると、さらに、透光性カップ体１０の延伸方向(本実施形態における透光性カップ体１０の延伸方向がその長手方向である)は、鉛直方向と夾角をなし、第１の収容室１１１の開口方向は、透光性カップ体１０の延伸方向と平行である。透光性カップ体１０は、鉛直方向に対して傾斜しており、第１の収容室１１１の開口方向は、鉛直方向に対して傾斜していることにより、第１の収容室１１１への液体の添加を便利にし、カップ１００の利便性を向上させる。第１の収容室１１１の開口が円形であるため、透光性カップ体１０の加工を便利にする。他の実施形態において、カップ１０の延伸方向は、折り曲げ曲線に沿って延びてもよく、第１の収容室１１１の開口は、四角形であってもよい。
【００１４】
さらに、底部１２には、第２の収容室１２１が設けられている。第２の収容室１２１は、開口方向が第１の収容室１１１の開口方向と逆方向になるように配置されている。光源コンポーネント２０と制御コンポーネントとは、第２の収容室１２１内に固定されている。底部１２の底面には、一つのノッチが設けられている。
【００１５】
本実施形態において、第２の収容室１２１の開口は、楕円状を呈する。第２の収容室１２１は、仕切板１３によって第１の収容室１１１と隔離されることにより、光源コンポーネント２０及び制御コンポーネントを保護することができる。第１の収容室１１１は、体積が第２の収容室１２１の体積よりも大きく、内径が第２の収容室１２１の内径よりも大きい形成されることにより、透光性カップ体１０の側壁１４の厚さを異ならせる。具体的には、透光性カップ体１０の側壁１４における、第１の収容室１１１に対応する位置の厚さは、第２の収容室１２１に対応する位置の厚さよりも小さい。言い換えれば、図３に示されるカップ１００を参考して、透光性カップ体１０の側壁１４の厚さは、仕切板１３を境界として、仕切板１３の上方における側壁１４の厚さが仕切板１３の下方における側壁１４の厚さよりも小さい。仕切板１３は、透光性カップ体１０の側壁１４に対して垂直であり、その頂面１３１が側壁１４に垂直な平面であり、底面１３２が頂面１３１に向って凹陥する凹面である。仕切板１３の凹面は、光源コンポーネント２０による第２の収容室１２１から発する光線を、より均一にするように第１の収容室１１１に拡散させることができる。光源コンポーネント２０及び制御コンポーネントは、第２の収容室１２１の内側壁に固定されてもよく、支持板によって第２の収容室１２１の開口に固定されてもよい。このようにして、光源コンポーネント２０及び制御コンポーネントの取り外し及びメンテナンスを便利にすることができる。他の実施形態において、光源コンポーネント２０及び制御コンポーネントは、底部１２に嵌入されてもよい。
【００１６】
本実施形態において、光源コンポーネント２０は、ＬＥＤモジュールであってもよい。光源コンポーネント２０は、透光性カップ体１０に光を照射することにより、透光性カップ体１０を点灯させ、暗い環境におけるカップ１００の使用を便利にする。光源コンポーネント２０は、制御コンポーネントによる制御命令を受信して点灯状態又は消灯状態になり得るとともに、制御コンポーネントによる制御命令に応じて発光強度を変更することができ、制御コンポーネントによる制御命令に応じて照明色を変更することもできる。他の実施形態において、光源コンポーネント２０は、アレイ状に配置された複数のＬＥＤランプビーズであってもよい。
【００１７】
本実施形態において、タッチ制御パネル３０は、透明なフレキシブルタッチ制御パネルである。タッチ制御パネル３０は、透光性カップ体１０の外周側を包囲し、透光性カップ体１０の外側壁面に貼り付けられている。タッチ制御パネル３０は、ユーザのタッチ信号、及びユーザのタッチ力の大きさを感知することができる。具体的には、ユーザの指がタッチ制御パネル３０に触れると、タッチ制御パネル３０がユーザのタッチ信号を感知して制御コンポーネントに送信しることにより、制御コンポーネントは、タッチ信号に応じて光源コンポーネント２０を発光させるように制御して透光性カップ体１０を点灯させる（オンにする）。ユーザの指がタッチ制御パネル３０から離れると、タッチ制御パネル３０がユーザのタッチ信号を感知できず、制御コンポーネントへのタッチ制御信号の送信を中止することにより、制御コンポーネントは、光源コンポーネント２０を消灯させるように制御する（オフにする）。ユーザのタッチ制御パネル３０に対するタッチ力が大きくなると、制御コンポーネントは、光源コンポーネント２０の光強度を増加させるように制御する。ユーザのタッチ制御パネル３０に対するタッチ力が小さくなると、制御コンポーネントは、光源コンポーネント２０の光強度を減少させるように制御する。さらに、タッチ制御パネル３０がユーザによるタッチ位置の変化に応じて変換されたタッチ制御信号を制御コンポーネントに送信することにより、制御コンポーネントは、光源コンポーネント２０の照明色を変更するように制御する。他の実施形態において、タッチ制御パネル３０は、ユーザの指の温度を感知することにより、温度情報に応じて光源コンポーネント２０の照明色を変更する。当然、制御コンポーネントは、ユーザの指の位置変換を必要とせず、タッチ制御パネル３０から制御信号を受信すると、光源コンポーネント２０の照明色を自動的かつ連続的に変更するように設定され得る。すなわち、ユーザの指がタッチ制御パネル３０をタッチした後、指が不変のままであっても、制御コンポーネントは、ユーザの指がタッチ制御パネル３０から離れるまで、光源コンポーネント２０の照明色を連続的に変更するように制御することができる。また、制御コンポーネントは、ユーザの指が透光性カップ体１０の延伸方向に沿ってスライドしていることがタッチ制御パネル３０によって感知されたときに、光源コンポーネント２０の輝度を調整するように設定され得る。例えば、ユーザの指がタッチ制御パネル３０において上にスライドすると、光源コンポーネント２０の輝度を増大させる一方、ユーザの指がタッチ制御パネル３０において下にスライドすると、光源コンポーネント２０の輝度を減少させる。なお、透光性カップ体１０の延伸方向に沿ったスライドは、透光性カップ体１０の延伸方向と完全に一致することに限定されず、スライド動作が透光性カップ体１０の延伸方向において変位を発生すれば、一定の角度でずれてもよい。
【００１８】
制御コンポーネントは、メインボードに配置された制御回路又は中央処理装置であってもよい。制御コンポーネントは、タッチ制御パネル３０から電気信号を受信し、電気信号による命令を光源コンポーネントに送信することにより、光源コンポーネント２０を動作させるように制御する。
【００１９】
さらに、カップ１００は、第２の収容室１２１に収容されたインナーカバー５０をさらに含む。インナーカバー５０の外側壁面は、第２の収容室１２１の内側壁面に合わせられる。光源コンポーネント２０及び制御コンポーネントは、インナーカバー５０に固定されている。
【００２０】
本実施形態において、インナーカバー５０は、楕円状のインナーカバープレート５１と、インナーカバープレート５１の外周側を包囲するインナーカバーエッジ５２とを含む。インナーカバーエッジ５２とインナーカバープレート５１とは一体に設けられている。インナーカバーエッジ５２は、第２の収容室１２１の開口の内側に合わせられ、すなわち、円形フレーム状に形成されている。このように、第２の収容室１２１におけるインナーカバー５０の位置決めを便利にし、第２の収容室１２１におけるインナーカバー５０の揺動を防止する。インナーカバープレート５１と第２の収容室１２１の開口との間に夾角をなすことにより、インナーカバープレート５１によって第２の収容室１２１の開口の内側を便利に封止する。本実施形態において、インナーカバープレート５１は水平に配置され、それが存在する平面と第２の収容室１２１の開口が存在する平面とは、３０度の夾角をなす。当然、この夾角は、実用上の要求に応じて変更可能であるが、好ましくは、１０度〜６０度の範囲にある。インナーカバープレート５１は、第２の収容室１２１に対向する側に光源コンポーネント２０及び制御コンポーネントが固定されている。このように、第２の収容室１２１からインナーカバー５０を取り外すときに、光源コンポーネント２０及び制御コンポーネント５０をともに第２の収容室１２１から取り外すことができ、さらに、光源コンポーネント２０及び制御コンポーネントのメンテナンスを便利にする。他の実施形態において、透光性カップ体１０が角柱状である場合、インナーカバー５０は、矩形のカバープレートであってもよい。
【００２１】
さらに、第２の収容室１２１の内側壁面に階段部１２２が設けられ、インナーカバー５１の周縁に等間隔で配列された複数の固定部５３が設けられいる。固定部５３は、ねじ等の工具によって階段部１２２に固定されている。
【００２２】
本実施形態において、階段部１２２が第２の収容室１２１の開口の内側に設けられ、階段部１２２が第２の収容室１２１の内側の周方向に沿って延びている。階段部１２２には、等間隔で配列された複数のねじ穴(図示せず)が周方向に沿って設けられている。各固定部５３は、それぞれ１つのねじ穴に対応している。固定部５３は、スタッドである。固定部５３は階段部１２２に取り外し可能に接続されることにより、インナーカバー５０の取り外し及びメンテナンスを便利に行うことができる。他の実施形態において、固定部５３はピンであってもよく、それに応じて階段部１２２に対応するピンホールが形成されてもよい。
【００２３】
さらに、光源コンポーネント２０は、インナーカバー５０に固定された回路基板２１と、回路基板２１に固定された光源２２とを含む。光源２２は、回路基板２１に電気的に接続され、制御コンポーネントは、回路基板２１に固定されかつ電気的に接続されている。
【００２４】
本実施形態において、回路基板２１は、ＬＥＤの発光を補助するアルミニウム基板であってもよく、光源２２は、ＬＥＤランプビーズであってもよい。回路基板２１は、円形板材である。回路基板２１とインナーカバープレート５１との間に夾角をなし、かつ第２の収容室１２１の開口が存在する平面に平行である。光源２２と制御コンポーネントとは、回路基板２１における回路を介して電気的に接続されてもよく、制御コンポーネントは、回路基板２１に配置された制御回路又は中央処理装置であってもよい。回路基板２１は、インナーカバープレート５１にねじ接続されている。具体的には、インナーカバープレート５１は、第２の収容室１２１の底端に対向する側に複数のスタッドが設けられ、回路基板２１は、複数のスタッドにネジ接続され、回路基板２１とインナーカバープレート５１との間に間隔が存在する。光源２２は、回路基板２１のインナーカバープレート５１から離反する側に溶接されている。制御コンポーネントは、回路基板２１のインナーカバープレート５１に近接する側に溶接されている。他の実施形態において、回路基板２１は、インナーカバープレート５１に接着してもよい。回路基板２１の外側面は、第２の収容室１２１の内側壁面によって取り囲まれ、インナーカバー５０のインナーカバーエッジ５２の頂面は、第２の収容室１２１の階段部１２２の底面に当接している。
【００２５】
さらに、回路基板２１には、電池(図示せず)と、電池に電気的に接続されたコネクタ(図示せず)とが設けられている。電池は、タッチ制御パネル３０及び光源２２に電力を供給するために、タッチ制御パネル３０及び光源２２に電気的に接続されている。コネクタは、電池を充電するために、外部電源ラインと接続するように構成されている。インナーカバー５０には、コネクタに対応する接続ポート５０ａが設けられている。
【００２６】
本実施形態において、電池及びコネクタは、いずれも回路基板２１のインナーカバープレート５１に近接する側に設けられている。コネクタは、ＵＳＢソケット又はＵＳＢプラグであってもよく、汎用電源ソケット又は汎用電源プラグであってもよい。接続ポート５０ａは、外部電源の挿入を可能にするように構成されることにより、外部電力を電池に供給し、カップ１００に電力を蓄えるのを便利にするので、カップ１００の体験性を向上させる。他の実施形態において、接続ポート５０ａは、底部１２に設けられた側壁であってもよい。
【００２７】
さらに、インナーカバー５０には、仕切板１３に対向してボス５４が設けられている。ボス５４がコネクタに当接しており、接続ポート５０ａがボス５４に設けられている。
【００２８】
本実施形態において、ボス５４は、透光性カップ体１０の長手方向に沿って朝回路基板２１に向かって延びている。ボス５４がコネクタに当接することにより、コネクタを支持してカップ１００の構造安定性を向上させる一方、外部電源ラインが接続ポート５０ａを介してコネクタに接続することを便利にする。インナーカバープレート５１は、さらに、ボス５４から離反する側においてボス５４に対応する位置に、凹溝５５が設けられている。凹溝５５の底端がボス５４の頂端に向かって延びていることにより、インナーカバープレート５１の加工を便利にする。また、接続ポート５０ａの深さを減少させることにより、外部電源ラインのコネクタへの挿入を便利にする。他の実施形態において、回路基板２１がインナーカバープレート５１に貼り付けられる場合、インナーカバープレート５１には、コネクタを収容するための凹溝がさらに設けられてもよい。
【００２９】
さらに、回路基板２１には、ボタン２１１がさらに設けられ、前記ボタン２１１は、制御コンポーネントに電気的に接続され、制御コンポーネントにオン・オフ指示を送信することに用いられる。インナーカバー５０には、ボタン２１１を貫通させるための第１の貫通孔５６が設けられている。
【００３０】
本実施形態において、ボタン２１１は、回路基板２１のインナーカバープレート５１に近接する側に固定されている。第１の貫通孔５６は、インナーカバープレート５１に設けられている。ボタン２１１は、インナーカバープレート５１を貫通している。ユーザがボタン２１１を押すと、ボタン２１１が制御コンポーネントにオフ指令を送信することにより、電池と光源コンポーネント２０及びタッチ制御パネル３０との接続を切断しカップ１００の省エネ状態を開始する。ユーザが再度ボタン２１１を押すと、ボタン２１１が制御コンポーネントにオン指令を送信することにより、電池と光源コンポーネント２０及びタッチ制御パネル３０とを接続してカップ１００のスマート状態を開始する。他の実施形態において、ボタン２１１の数は、複数であってもよい。
【００３１】
さらに、インナーカバー５０は、回路基板２１に近接する側に、ボタン２１１の外周側に外嵌されたスリーブ５７がさらに設けられている。第１の貫通孔５６は、スリーブ５７の内側を貫通している。具体的には、スリーブ５７は、インナーカバープレート５１の回路基板２１に近接する側に設けられている。スリーブ５７の長手方向は、透光性カップ体１０の長手方向と平行である。ここで、スリーブ５７の長手方向は、スリーブ５７の幾何中心軸方向である。このように、インナーカバー５０を取り付ける際に、ボタン２１１のスリーブ５７への挿入を便利にし、スリーブ５７によりボタン２１１を保護することを便利にし、かつボタン２１１への押し付けをガイドすることも便利にする。
【００３２】
さらに、カップ１００は、第２の収容室１２１の開口を封止するアウターカバー６０をさらに含む。アウターカバー６０には、第１の貫通孔５６に連通する第２の貫通孔６１と、接続ポート５０ａに連通する第３の貫通孔６２とが設けられている。ボタン２１１は、第２の貫通孔６１を貫通している。
【００３３】
本実施形態において、アウターカバー６０は、底部１２に外嵌されている。アウターカバー６０は、インナーカバープレート５１の底面に当接するアウターカバープレート６０ａと、底部１２の外周側を包囲するアウターカバーエッジ６０ｂとを含む。アウターカバーエッジ６０ｂの内側壁面は、底部１２の外側壁面に貼り付けられることにより、透光性カップ体１０の底部１２を保護してカップ１００の使用寿命を延長する。インナーカバーエッジ５２の外側壁面は、同様に、アウターカバーエッジ６０ｂの内側壁面に貼り付けられている。さらに、アウターカバー６０のアウターカバーエッジ６０ｂの頂面は、タッチ制御パネル３０の底面に貼り付けられることで、透光性カップ体１０の外側壁面全体を閉鎖する。また、アウターカバーエッジ６０ｂの外側壁面がタッチ制御パネル３０の外側壁面と面一になっていることにより、均一な視覚効果を実現するとともに、手の切り傷の発生を防止する。アウターカバー６０は、金属材料からなる。アウターカバーエッジ６０ｂは、アウターカバープレート６０ａと一体に設けられている。ボタン２１１が第２の貫通孔６１を貫通することにより、ボタン２１１への押し付けを便利にする。外部電源ラインが第３の貫通孔６２を貫通することにより、外部電源ラインとコネクタとの接続を便利にする。他の実施形態において、アウターカバー６０は、プラスチック材料からなってもよい。
【００３４】
さらに、カップ１００は、アウターカバー６０のインナーカバー５０から離反する側に貼り付けられたボトムカバー７０を含む。ボトムカバー７０には、扇形のスロット７１が第３の貫通孔６２に対向して設けられている。スロット７１は、直線状の第１の縁部７１１と、半円弧状の第２の縁部７１２とを含む。第１の縁部７１１には、バリア７２が回転可能に接続されている。バリア７２は、スロット７１に対して反転可能であり、スロット７１の形状と同様の形状を有する。バリア７２は、スロット７１を被覆又は露出させるために用いられる。このように、カップ１００を充電する必要がない場合、バリア７２によって第３の貫通孔６２を被覆してコネクタへの保護を実現する。より具体的には、バリア７２は、スロット７１に近接する側に突起７２１が第３の貫通孔６２に合わせて設けられている。すなわち、バリア７２が第３の貫通孔６２を被覆するときに、突起７２１が第３の貫通孔６２内に挿入されることにより、第３の貫通孔６２を完全に密封してコネクタに対する保護を向上させる。
【００３５】
さらに、ボトムカバー７０は、アウターカバープレート６０ａに貼付する側に、凹溝である位置決め部７３が設けられている。位置決め部７３は、ボタン２１１と協働して、アウターカバープレート６０ａにおけるボトムカバー７０位置決めを便利にするとともに、ボトムカバー７０によってユーザの押圧力をボタン２１１に伝達することを便利にし、ボタン２１１への押し付けを便利にする。より具体的には、ボトムカバー７０は、可撓性材料からなってもよく、ボタン２１１に対応する押し付け位置にのみ可撓性材料を使用してもよい。ボトムカバー７０は、アウターカバープレート６０ａから離反する側に、ボタンマーク７４が位置決め部７３に対応して設けられている。このように、ユーザによるボタン２１１への押し付けを便利にし、カップ１００の省エネ状態とスマート状態の切り替えを実現する。バリア７２は、突起７２１から離反する側に、充電マーク７５が突起７２１に対応して設けられている。このように、ユーザがバリア７２を開いてカップ１００を充電することを便利にし、カップ１００の体験性を向上させる。
【００３６】
本発明のカップは、光源コンポーネント２０の発光により透光性カップ体１０を照明可能である。タッチ制御パネル３０がユーザによってタッチされると、制御コンポーネントにタッチ制御情報を送信することにより、制御コンポーネントがタッチ制御情報の変化に応じて、光源コンポーネント２０の点灯・消灯、及び光源コンポーネント２０の発光強度を制御する。
【００３７】
本発明のカップ１００は、タッチ制御パネル３０を感知スイッチとして使用することにより、ユーザが指でカップ１００の側面に触れると、制御コンポーネントがカップ１００を点灯して発光させる一方、ユーザの指がカップ１００から離れると、制御コンポーネントが制御光源２２を消灯させるように制御する。これにより、ユーザの別途オン・オフ動作が必要なく、カップ１００を持ち上げたり置いたりすると同時にカップ１００の点灯・消灯を実現可能とするため、カップ１００のユーザ体験を向上させることができる。また、ユーザが指のスライド動作によってカップ１００の輝度及び色の変化を調節可能とするため、ユーザ体験をさらに向上させる。
【００３８】
また、上記した実施形態は、カップ１００を一例として説明したがタンク、ポット、ボトルなどの他のタイプの容器も本発明に適用可能であり、かつタッチ制御パネル３０がポットのハンドル、タンクの持ち手、ボトルの外側面のようなユーザによって把持し易い位置に接着されることが好ましいと理解されるべきである。
【００３９】
以上、本発明の好ましい実施形態を説明した。本発明の原理から逸脱しない範囲において、当業者が、複数の改良及び修飾をしても、本発明の保護範囲に属するものと理解されるべきである。
【図１】
2018535155.tif 000003
【図２】
2018535155.tif 000004
【図３】
2018535155.tif 000005
【手続補正書】
【提出日】平成30年5月24日(2018.5.24)
【手続補正１】
【補正対象書類名】明細書
【補正対象項目名】００１０
【補正方法】変更
【補正の内容】
【００１０】
図１及び図２を参照すると、本発明の一実施形態は、収容キャビティを備えた容器を提供する。本実施形態において、容器はカップ１００である。本実施形態において、収容キャビティは、頂部１１、頂部１１に対向する底部１２、及び頂部１１と底部１２の間に位置する中間部を含む透光性カップ体（light transmitting cup body）１０である。頂部１１には、第１の収容室１１１が設けられている。第１の収容室１１１は、開口方向が底部１２に向かう方向と逆方向になるように配置されている。第１の収容室１１１は、物体を収容するために用いられる。カップ１００は、底部１２に固定された光源コンポーネント２０をさらに含む。光源コンポーネント２０は、透光性カップ体１０を照明するように発光可能である。カップ１００は、透光性カップ体１０の外周側に固定されたタッチ制御パネル３０と、底部１２に固定された制御コンポーネント(図示せず)とをさらに含む。制御コンポーネントは、タッチ制御パネル３０及び光源コンポーネント２０に電気的に接続され、タッチ制御パネル３０のタッチ制御信号を受信し、かつタッチ制御信号に応じて光源コンポーネント２０の発光並びに発光強度及び照明色を制御するように構成されている。
【手続補正２】
【補正対象書類名】明細書
【補正対象項目名】００１１
【補正方法】変更
【補正の内容】
【００１１】
透光性カップ体１０は、光源コンポーネント２０の発光によって照明され得る。タッチ制御パネル３０は、ユーザによってタッチされた場合、制御コンポーネントにタッチ制御情報を送信することにより、光源コンポーネント２０の点灯・消灯、及び光源コンポーネント２０の発光強度を制御できるので、カップ１０のユーザ体験を向上させる。
【手続補正３】
【補正対象書類名】明細書
【補正対象項目名】００２０
【補正方法】変更
【補正の内容】
【００２０】
本実施形態において、インナーカバー５０は、楕円状のインナーカバープレート５１と、インナーカバープレート５１の外周側を包囲するインナーカバーエッジ５２とを含む。インナーカバーエッジ５２とインナーカバープレート５１とは一体に設けられている。インナーカバーエッジ５２は、第２の収容室１２１の開口の内側に合わせられ、すなわち、円形フレーム状に形成されている。このように、第２の収容室１２１におけるインナーカバー５０の位置決めを便利にし、第２の収容室１２１におけるインナーカバー５０の揺動を防止する。インナーカバープレート５１と第２の収容室１２１の開口との間に夾角をなすことにより、インナーカバープレート５１によって第２の収容室１２１の開口の内側を便利に封止する。本実施形態において、インナーカバープレート５１は水平に配置され、それが存在する平面と第２の収容室１２１の開口が存在する平面とは、３０度の夾角をなす。当然、この夾角は、実用上の要求に応じて変更可能であるが、好ましくは、１０度〜６０度の範囲にある。インナーカバープレート５１は、第２の収容室１２１に対向する側に光源コンポーネント２０及び制御コンポーネントが固定されている。このように、第２の収容室１２１からインナーカバー５０を取り外すときに、光源コンポーネント２０及び制御コンポーネントをともに第２の収容室１２１から取り外すことができ、さらに、光源コンポーネント２０及び制御コンポーネントのメンテナンスを便利にする。他の実施形態において、透光性カップ体１０が角柱状である場合、インナーカバー５０は、矩形のカバープレートであってもよい。
【手続補正４】
【補正対象書類名】特許請求の範囲
【補正対象項目名】全文
【補正方法】変更
【補正の内容】
【特許請求の範囲】
【請求項１】
光源及び収容キャビティを備えた容器であって、
制御コンポーネントと、前記収容キャビティにおける把持し易い位置に設けられたタッチ制御パネルとをさらに含み、
前記制御コンポーネントは、前記光源及び前記タッチ制御パネルに電気的に接続され、前記制御コンポーネントは、前記タッチ制御パネルによって感知した外部のタッチ信号に応じて前記光源を発光させるように制御することを特徴とする、容器。
【請求項２】
前記収容キャビティは、透光性カップ体を含み、
前記光源から発した光線は、前記透光性カップ体を通過して外部に出射することを特徴とする、請求項１に記載の容器。
【請求項３】
前記タッチ制御パネルは、前記透光性カップ体の外側面を取り囲んで貼設された透明なフレキシブルタッチ制御パネルを含むことを特徴とする、請求項２に記載の容器。
【請求項４】
前記透光性カップ体は、第１の収容室と、開口方向が前記第１の収容室の開口方向と反対方向である第２の収容室とを含み、
前記光源から発した光線は、第２の収容室を経由して前記第１の収容室に入ることを特徴とする、請求項２に記載の容器。
【請求項５】
前記第１の収容室は、前記第２の収容室から隔離され、
前記光源及び前記制御コンポーネントは、前記第２の収容室に設けられていることを特徴とする、請求項４に記載の容器。
【請求項６】
前記容器は、インナーカバーをさらに含み、
前記インナーカバーは、少なくとも一部が前記第２の収容室に収容され、前記透光性カップ体の底部に当接していることを特徴とする、請求項４に記載の容器。
【請求項７】
前記第２の収容室の内側壁面には、階段部が設けられ、
前記インナーカバーには、前記階段部に向かって固定部が設けられ、前記固定部が前記階段部に固定されることを特徴とする、請求項６に記載の容器。
【請求項８】
前記第２の収容室に収容された回路基板をさらに含み、
前記光源及び前記制御コンポーネントは、いずれも前記回路基板に固定されていることを特徴とする、請求項４に記載の容器。
【請求項９】
電池と、前記電池に電気的に接続されたコネクタとをさらに含み、
前記コネクタは回路基板の一方の側に設けられ、前記光源は回路基板の他方の側に設けられていることを特徴とする、請求項８項に記載の容器。
【請求項１０】
アウターカバーをさらに含み、
前記アウターカバーは、前記インナーカバーの底部に当接するアウターカバープレートと、前記アウターカバープレートの周縁から延びるアウターカバーエッジとを備え、
前記アウターカバーエッジは、前記インナーカバー及び前記透光性カップ体の外周に外嵌されることを特徴とする、請求項６に記載の容器。
【請求項１１】
前記アウターカバーエッジの外側壁面は、前記タッチ制御パネルの外側壁面と面一になっており、
前記アウターカバーエッジの頂部は、前記タッチ制御パネルの底部に当接していることを特徴とする、請求項１０に記載の容器。
【請求項１２】
前記アウターカバー及び前記インナーカバーを通るように設けられたボタンをさらに含み、
前記ボタンは、前記制御コンポーネントに電気的に接続されていることを特徴とする、請求項１０に記載の容器。
【請求項１３】
ボトムカバーをさらに含み、
前記ボトムカバーは、前記アウターカバーの底部に貼り付けられ、前記ボタンに当接してかつ前記ボタンに対応する位置に可撓領域が設けられることを特徴とする、請求項１２に記載の容器。
【請求項１４】
前記ボトムカバーは、スロットが設けられ、かつ前記スロットに対応する位置においてバリアが形成され、前記バリアが前記スロットの縁部に回転可能に接続されることを特徴とする、請求項１３に記載の容器。
【国際調査報告】
2018535155.tif 000006
2018535155.tif 000007
2018535155.tif 000008
2018535155.tif 000009